(57)【要約】【目的】電子メールの閲覧において放送視聴との関係で利便性を向上させることができる放送受信装置を提供する。【構成】携帯型受信端末２でディジタル放送を視聴中に電子メールの着信があると、この電子メールを自動的に開く処理、或いは、ユーザの指示に従って電子メールを開く処理が行われることになる。そして、このように放送受信映像の表示中に電子メールを開く処理を行うときには、電子メール内容（本文）用の表示画面に切り替える処理を行うのではなく、放送受信映像の表示を継続しつつ前記電子メールを開いて得られる内容（本文）をＯＳＤ機能によって同一画面（液晶表示パネル２０２）内に表示するようになっている。【選択図】      図１
2004274140.tif 000002
【特許請求の範囲】
【請求項１】
放送を受信して画面に映像を表示する放送受信装置において、通信ネットワークを介して電子メールを受信する手段を備え、放送受信映像の表示中に電子メールを開く処理を行うときには、放送受信映像の表示を継続しつつ前記電子メールを開いて得られる内容をオンスクリーンディスプレイ機能によって同一画面内に表示するように構成されたことを特徴とする放送受信装置。
【請求項２】
請求項１に記載の放送受信装置において、電子メールを開いて得られる内容を放送受信映像に重畳して表示するように構成されたことを特徴とする放送受信装置。
【請求項３】
請求項２に記載の放送受信装置において、電子メールを開いて得られる内容の表示は半透明文字を用いて表示されるように構成されたことを特徴とする放送受信装置。
【請求項４】
請求項１に記載の放送受信装置において、放送受信映像の画面サイズを縮小する処理を行うと共に、この画面サイズ変更による画面余部に電子メールを開いて得られる内容を表示するように構成されたことを特徴とする放送受信装置。
【請求項５】
請求項１乃至請求項３のいずれかに記載の放送受信装置において、電子メールを開いて得られる内容が画面上でスクロール表示されるように構成されたことを特徴とする放送受信装置。
【請求項６】
請求項１乃至請求項５のいずれかに記載の放送受信装置において、メールアドレスを登録する手段と、着信した電子メールが登録されたメールアドレスからのものかどうかを判断する手段と、を備え、登録されたアドレスの電子メールについてだけ、放送受信映像の表示を継続しつつ前記電子メールを開いて得られる内容を同一画面内に表示するように構成されたことを特徴とする放送受信装置。
【請求項７】
請求項１乃至請求項６のいずれかに記載の放送受信装置において、放送受信映像の表示を継続しつつ前記電子メールを開いて得られる内容を同一画面内に表示するかどうかがユーザ設定によって選択できるように構成されたことを特徴とする放送受信装置。
【請求項８】
請求項１乃至請求項７のいずれかに記載の放送受信装置において、放送受信映像の表示を継続しつつ前記電子メールを開いて得られる内容を同一画面内に表示するときには、そのことを示す報知音を発生するように構成されたことを特徴とする放送受信装置。
【発明の詳細な説明】
【０００１】
【産業上の利用分野】
この発明は、放送波を受信する放送受信装置に関する。
【０００２】
【従来の技術】
ディジタル放送システムにおいては、放送局側で番組に関する情報等を映像や音声に付加して圧縮し、例えばＭＰＥＧ（Ｍｏｖｉｎｇ  Ｐｉｃｔｕｒｅ  Ｅｘｐｅｒｔｓ  Ｇｒｏｕｐ）によって多重化したトランスポートストリームをディジタル変調して送信している。そして、受信装置の側では、受信したディジタル変調信号を復調してトランスポートストリームを生成し、これを映像、音声、その他の情報に分離し解析することによりユーザに番組等を提示する。
【０００３】
また、携帯型の情報端末において、電子メールの送受信機能及びディジタル放送受信機能の両方を備えるものが提案されている（特許文献１参照）。
【０００４】
【特許文献１】
特開２００２−３５３９１５号公報
【０００５】
【発明が解決しようとする課題】
従来技術として、メール送受信機能を備える携帯電話では、メール受信時に他の機能を起動させていた場合、電子メールの受信は実行できても電子メールの閲覧を行うためには他の機能を動作を停止させる必要がある。また、上記公報に開示された携帯情報端末では、電子メールの閲覧において放送視聴との関係で利便性を向上させることについては、特に示されていない。
【０００６】
この発明は、上記事情に鑑み、電子メールの閲覧において放送視聴との関係で利便性を向上させることができる放送受信装置を提供することを目的とする。
【０００７】
【課題を解決するための手段】
この発明の放送受信装置は、上記の課題を解決するために、放送を受信して画面に映像を表示する放送受信装置において、通信ネットワークを介して電子メールを受信する手段を備え、放送受信映像の表示中に電子メールを開く処理を行うときには、放送受信映像の表示を継続しつつ前記電子メールを開いて得られる内容をオンスクリーンディスプレイ機能によって同一画面内に表示するように構成されたことを特徴とする。
【０００８】
上記の構成であれば、放送視聴機能の起動中に電子メールを開く処理を行うときでも放送視聴機能の動作は停止せずに維持され、前記電子メールを開いて得られる内容がオンスクリーンディスプレイ機能によって同一画面内に表示されることになるので、利用者は放送視聴を継続しつつ電子メールの本文を閲覧することが可能になる。
【０００９】
電子メールを開いて得られる内容を放送受信映像に重畳して表示するように構成されていてもよい。また、かかる構成において、電子メールを開いて得られる内容の表示は半透明文字を用いて表示されるように構成されているのがよい。一方、放送受信映像の画面サイズを縮小する処理を行うと共に、この画面サイズ変更による画面余部に電子メールを開いて得られる内容を表示するように構成されていてもよい。
【００１０】
電子メールを開いて得られる内容が画面上でスクロール表示されるように構成されているのがよい。これによれは、メール内容の表示に占める領域を少なくして放送受信映像に対する影響を極力低減することができる。
【００１１】
メールアドレスを登録する手段と、着信した電子メールが登録されたメールアドレスからのものかどうかを判断する手段と、を備え、登録されたアドレスの電子メールについてだけ、放送受信映像の表示を継続しつつ前記電子メールを開いて得られる内容を同一画面内に表示するように構成されていてもよい。
【００１２】
放送受信映像の表示を継続しつつ前記電子メールを開いて得られる内容を同一画面内に表示するかどうかがユーザ設定によって選択できるように構成されていてもよい。また、放送受信映像の表示を継続しつつ前記電子メールを開いて得られる内容を同一画面内に表示するときには、そのことを示す報知音を発生するように構成されていてもよい。
【００１３】
【発明の実施の形態】
以下、この発明の実施形態を図１及び図２に基づいて説明する。
【００１４】
図１はこの実施形態の携帯型受信端末及びメールサーバ等を示したシステム概要図であり、図２は放送受信装置を示したブロック図である。
【００１５】
携帯型受信端末２は、図１に示しているように、例えば携帯電話型の形状を有しており、図２に示すごとく、電池２２１により駆動される。この携帯型受信端末２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。視聴に関する操作ボタン（プレイ／ポーズ、ストップ、送り、音量等）やテンキー等については筐体部に設けている。なお，この実施形態では符号化映像・音声データはＭＰＥＧ４データであるとする。
【００１６】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１７】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、地上ディジタル放送から取得した番組情報によるＥＰＧ画面、電子メールの内容である文字等等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１８】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１９】
本体キー２１４は先述した視聴に関する操作ボタン（プレイ／ポーズ、ストップ、送り）やテンキー等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２０】
また、近距離無線ネットワークを可能にするために、通信ブロック（無線ＬＡＮブロック等）２１６及びインターフェイス２１７が設けられている。更に、ＦｌａｓｈＲＯＭ２１８やＳＤＲＡＭ２１９も備える。電池２２１は二次電池であり、図示しない充電器から電力の供給を得てこれを蓄えるようになっている。携帯電話部２３１は通常の電話のために用いることとしている。
【００２１】
ＣＰＵ２０９は、無線ネットワークのための処理、スロット２０１にＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。
【００２２】
ここで、携帯型受信端末２で放送を視聴中に電子メールの着信があると、この電子メールを自動的に開く処理、或いは、ユーザの指示に従って電子メールを開く処理が行われることになる。そして、このように放送受信映像の表示中に電子メールを開く処理を行うときには、電子メール内容（本文）用の表示画面に切り替える処理を行うのではなく、放送受信映像の表示を継続しつつ前記電子メールを開いて得られる内容を前記ＯＳＤ機能によって同一画面（液晶表示パネル２０２）内に表示するようになっている。例えばＰＨＳデータカード４にて受信した電子メールは、ＰＣＭＣＩＡインターフェイス２２０、及びシステムバス２１３を経てＣＰＵ２０９へ供給される。ＣＰＵ２０９は、電子メールのヘッダー部分に記載されたメールタイトル、送信者情報（メールアドレス）、メール本文をなすキャラクタデータを所定メモリに記憶して管理する。そして、前述した電子メールを開く処理を行うときには、メール本文をなすキャラクタデータをメモリから読み出し、当該キャラクタをＯＳＤ表示するようにグラフィックスコントローラ２０５に指令を与える。グラフィックスコントローラ２０５は、ＯＳＤプレーン上にメール本文をなすキャラクタデータを載せ、これと放送受信映像プレーンとを合成して出力する。
【００２３】
上記合成出力においては、電子メールを開いて得られる内容を放送受信映像に重畳して表示することができるが、この実施形態では、表示文字として半透明文字を用いて表示するようにしている。
【００２４】
また、グラフィックスコントローラ２０５は、放送受信映像の画面サイズを縮小する処理（スケーリング処理）を行うことができ、この画面サイズ変更による画面余部に電子メールを開いて得られる内容が表示されるように、サイズ変更画面（動画プレーン）の生成及びＯＳＤプレーンの生成を行う。
【００２５】
また、グラフィックスコントローラ２０５は、電子メールを開いて得られる内容を画面上でスクロール表示させることもできる。ここで、ディジタル放送においては、字幕サービスを提供できるが、この字幕サービスにおいては、字幕文字を所定速度でスクロール表示できるようになっている。電子メール内容の表示においては、字幕と異なり表示映像との同期をとる必要がなく、放送受信映像の動画プレーンと字幕文字的なスクロール文字プレーンとを生成してこれらを合成して映像表示を行うようにすればよい。スクロール速度については、予め定めたスクロール速度或いはユーザ指示によるスクロール速度とする。また、ユーザが所定ボタンを押す度に文字がスクロールしていくようにしてもよい。
【００２６】
また、ＣＰＵ２０９は、前述したように、電子メールのヘッダー部分に記載されたメールタイトル、送信者情報（メールアドレス）、メール本文をなすキャラクタデータを所定メモリに記憶して管理するが、ユーザによって予め登録されているメールアドレスと、着信した電子メールのメールアドレス（着信者情報）とを対比して、着信した電子メールが予め登録されている者からのメールかどうかを判断することができる。メールアドレスを登録する機能については、既存の機能を用いればよい。ＣＰＵ２０９は、前述した受信映像の表示を行いつつメール本文表示を行う処理が、予め登録されたアドレスからの電子メールについてだけ行うようユーザによって指定されているときには、上記判断処理を行ってメール表示処理を行うかどうかを決定することになる。これによれば、特定の送信者からの電子メールについてだけ放送映像を視聴しながら確認することができることとなり、例えば、重要でないメールなどによって放送視聴を妨害されるといったことを防ぐことができる。
【００２７】
携帯型受信端末２の液晶表示パネル２０２にメニュー画面を表示させることとし、ここに「電子メール表示設定」の項目を用意しておき、これが選択されたときに、「登録アドレスのメールのみ受信映像と共に表示  ＹＥＳ／ＮＯ」といった選択項目が表示されるようになっていれば、上述したユーザ指定が行えることになる。また、「メール本文を受信映像と共に表示  ＯＮ／ＯＦＦ」といった選択項目を用意しておくことで、メール本文を受信映像と共に表示する機能そのもののＯＮ／ＯＦＦをユーザが切り替えることができることになる。
【００２８】
また、ＣＰＵ２０９は、図示しないブザーやメロディ生成器を利用し、メール本文を受信映像と共に表示するときには、そのことを示す報知音を発生するように成っていてもよい。
【００２９】
なお、上記の説明においては、ＰＨＳデータカード４を介してメール受信を行うこととしたが、これに限るものではなく、例えば携帯電話部２３１等を介して電子メールを受信することも可能である。また、放送受信装置としては、携帯型受信端末に限らず、固定受信装置として構成することもできる。
【００３０】
【発明の効果】
以上説明したように、この発明によれば、放送受信映像の表示画面に電子メールの本文が表示されるので、放送視聴を継続しつつ電子メール本文を見ることができることになる。
【図面の簡単な説明】
【図１】この発明の実施形態の放送受信装置及びメールサーバ等を例示したシステム概要図である。
【図２】この発明の実施形態の携帯型受信端末を示したブロック図である。
【符号の説明】
２      携帯型受信端末
２０２  液晶表示パネル
２０４  ＭＰＥＧ４ビデオデコーダ
２０９  ＣＰＵ
３      メモリカード
４      ＰＨＳデータカード
５      メール・サーバ
６      ネットワーク
【図１】
2004274140.tif 000003
【図２】
2004274140.tif 000004